(57)【要約】      （修正有）【課題】操作に便利で、十分な理学療法の効果の得られる理学療法用エネルギー発生装置を提供する。【解決手段】制御ユニット５１と、第１導電手段と、第２導電手段と、制御ユニットにカップリングし、かつ調整を行うコマンドを受信して制御ユニットに伝送する入力ユニット５２と、制御ユニットにカップリングし、かつ制御ユニットによる調整コマンドに基づいた制御によって理学療法用のエネルギーを発生し、第１導電手段と第２導電手段から出力させるエネルギー発生ユニット５３と、エネルギー発生ユニットと、第１導電手段との間に設けて出力する理学療法用のエネルギーの強度を制限するエネルギー出力制限ユニット５４と、を具えてなる。【選択図】図２
0003196442.tif 000002
【実用新案登録請求の範囲】
【請求項１】
制御ユニットと、第１導電手段と、第２導電手段と、該制御手段にカップリングし、かつ調整を行うコマンドを受信して該制御ユニットに伝送する入力ユニットと、該制御手段にカップリングし、かつ該制御ユニットによる該調整コマンドに基づいた制御によって理学療法用のエネルギーを発生し、該第１導電手段と該第２導電手段から出力させるエネルギー発生ユニットと、該エネルギー発生ユニットと、該第１導電手段との間に設けて出力する該理学療法用のエネルギーの強度を制限するエネルギー出力制限ユニットと、を具えてなり、施術者が被治療者に対して理学療法を施すために適用する理学療法用エネルギー発生装置
【請求項２】
前記理学療法用エネルギー発生装置１０が、被治療者の横臥に供する台を設置した場所に設けられ、かつ該第２導電手段を複数具え、該第１導電手段１２が被治療者に接触するように設置し、かつ複数の該第２導電手段１３が、施術者１３が踏んで施術を行うことができるようにマッサージベッド３１の下方に分布し、かつ囲繞して設けることを特徴とする請求項１に記載の理学療法用エネルギー発生装置。
【請求項３】
前記第１導電部材が銅とクロムの金属繊維を編んでなる布状の導電パッドであることを特徴とする請求項１に記載の理学療法用エネルギー発生装置。
【請求項４】
前記第２導電手段が、絶縁ベース１と、銅か、又は導電性ゴムによって構成され該絶縁ベース上に設ける導電面とによってなることを特徴とする請求項１に記載の理学療法用エネルギー発生装置。
【請求項５】
前記調整コマンドが、該理学療法用エネルギーの強度を調整するコマンドと、即時エネルギー発生モードか、設定した時間に発生するモードか調整するコマンドを含むことを特徴とする請求項１に記載の理学療法用エネルギー発生装置。
【請求項６】
前記入力ユニットがリモートコントローラ具え、該リモートコントローラが送信する該調整コマンドを受信することを特徴とする請求項１に記載の理学療法用エネルギー発生装置。
【請求項７】
前記理学療法用エネルギー発生装置が、さらに手持ち型マッサージ手段
を具え、且つ該手持ち型マッサージ手段が、一端を把持端とし、他端を作動とし、該作動端に収納部を形成した把持部と、該収納部に設けられ、理学療法用のエネルギーを出力する導電板と、該導電板上に設けられる軟質導電部と、該把持部の該作動端に嵌挿して該軟質導電部を該導電板に接触させて固定するカバーリングとを具えてなることを特徴とする請求項１に記載の理学療法用エネルギー発生装置。
【請求項８】
前記把持部の該把持端の外周面には環状リブを形成し、かつ該カバーリングの内周面には該把持端の該環状リブに対応する環状溝を形成することを特徴とする請求項７に記載の理学療法用エネルギー発生装置。
【請求項９】
前記導電板が銅板であって、該軟性導電部が湿らせたスポンジか綿であることを特徴とする請求項７に記載の理学療法用エネルギー発生装置。
【請求項１０】
前記カバーリングと該把持部との間に布片を挟み込むことを特徴とする請求項９に記載の理学療法用エネルギー発生装置。
【請求項１１】
前記理学療法用エネルギー発生装置が、さらに該制御ユニットにカップリングする出力ユニットを具え、該出力ユニットに該理学療法用エネルギーの強度と、即時エネルギー発生モードか、設定した時間に発生するモードかを表示することを特徴とする請求項１に記載の理学療法用エネルギー発生装置。
【考案の詳細な説明】
【技術分野】
【０００１】
この考案は保健装置に関し、特に理学療法に用いるエネルギーを発生させる理学療法用エネルギー発生装置に関する。
【背景技術】
【０００２】
文明社会の発展にともない、人類の生活も緊張が高まり、忙しい日々を送るようになってきた。また人々の活動も緊密に組まれるようになった。人々の労働は、労力を提供するという点においては過去に比して環境が大幅に改善されてきた。然しながら、人々の暮らしが緊密に組み立てられるようになったことから、その心労は過去よりも大きいものがある。そこで、生理機能、または心の健康を維持するためには、市販される保健装置の助けが必要となった。
【０００３】
従来の保健装置の多くは、理学療法士が患者に理学療法を行うために供するものであった。係る装置を以て、伝統的な按摩、針灸の代替とし、患者の心身をリラックスさせ、疲労などの症状を改善することができる。但し、これら従来の保健装置は、操作が不便で、効果も十分ではなかった。これら短所は改善する必要がある。
【考案の概要】
【考案が解決しようとする課題】
【０００４】
この考案は、操作に便利で、十分な理学療法の効果の得られる理学療法用エネルギー発生装置を提供することを課題とする。
【課題を解決するための手段】
【０００５】
そこで、本考案者は従来の理学療法に用いられる各種保健装置に見られる欠点に鑑み鋭意研究を重ねた結果、制御ユニットと、第１導電手段と、第２導電手段と、該制御手段にカップリングし、かつ調整を行うコマンドを受信して該制御ユニットに伝送する入力ユニットと、該制御手段にカップリングし、かつ該制御ユニットによる該調整コマンドに基づいた制御によって理学療法用のエネルギーを発生し、該第１導電手段と該第２導電手段から出力させるエネルギー発生ユニットと、該エネルギー発生ユニットと、該第１導電手段との間に設けて出力する該理学療法用のエネルギーの強度を制限するエネルギー出力制限ユニットと、を具えてなる理学療法用エネルギー発生装置によって課題を解決でできる点に着眼し、係る知見に基づいて本考案を完成させた。
【０００６】
以下この考案について説明する。請求項１に記載する理学療法用エネルギー発生装置は、制御ユニットと、第１導電手段と、第２導電手段と、該制御手段にカップリングし、かつ調整を行うコマンドを受信して該制御ユニットに伝送する入力ユニットと、該制御手段にカップリングし、かつ該制御ユニットによる該調整コマンドに基づいた制御によって理学療法用のエネルギーを発生し、該第１導電手段と該第２導電手段から出力させるエネルギー発生ユニットと、該エネルギー発生ユニットと、該第１導電手段との間に設けて出力する該理学療法用のエネルギーの強度を制限するエネルギー出力制限ユニットと、を具えてなり、施術者が被治療者に対して理学療法を施すために適用する。
【０００７】
請求項２に記載する理学療法用エネルギー発生装置は、請求項１における理学療法用エネルギー発生装置１０が、被治療者の横臥に供する台を設置した場所に設けられ、かつ該第２導電手段を複数具え、該第１導電手段１２が被治療者に接触するように設置し、かつ複数の該第２導電手段１３が、施術者１３が踏んで施術を行うことができるようにマッサージベッド３１の下方に分布し、かつ囲繞して設ける。
【０００８】
請求項３に記載する理学療法用エネルギー発生装置は、請求項１における第１導電部材が銅とクロムの金属繊維を編んでなる布状の導電パッドである。
【０００９】
請求項４に記載する理学療法用エネルギー発生装置は、請求項１における第２導電手段が、絶縁ベース１と、銅か、又は導電性ゴムによって構成され該絶縁ベース上に設ける導電面とによってなる。
【００１０】
請求項５に記載する理学療法用エネルギー発生装置は、請求項１における調整コマンドが、該理学療法用エネルギーの強度を調整するコマンドと、即時エネルギー発生モードか、設定した時間に発生するモードか調整するコマンドを含む。
【００１１】
請求項６に記載する理学療法用エネルギー発生装置は、請求項１における入力ユニットがリモートコントローラ具え、該リモートコントローラが送信する該調整コマンドを受信する。
【００１２】
請求項７に記載する理学療法用エネルギー発生装置は、請求項１における理学療法用エネルギー発生装置が、さらに手持ち型マッサージ手段を具え、且つ該手持ち型マッサージ手段が、一端を把持端とし、他端を作動とし、該作動端に収納部を形成した把持部と、該収納部に設けられ、理学療法用のエネルギーを出力する導電板と、該導電板上に設けられる軟質導電部と、該把持部の該作動端に嵌挿して該軟質導電部を該導電板に接触させて固定するカバーリングとを具えてなる。
【００１３】
請求項８に記載する理学療法用エネルギー発生装置は、請求項７における
把持部の該把持端の外周面には環状リブを形成し、かつ該カバーリングの内周面には該把持端の該環状リブに対応する環状溝を形成する。
【００１４】
請求項９に記載する理学療法用エネルギー発生装置は、請求項７における導電板が銅板であって、該軟性導電部が湿らせたスポンジか綿である。
【００１５】
請求項１０に記載する理学療法用エネルギー発生装置は、請求項９におけるカバーリングと該把持部との間に布片を挟み込む。
【００１６】
請求項１１に記載する理学療法用エネルギー発生装置は、請求項１における理学療法用エネルギー発生装置が、さらに該制御ユニットにカップリングする出力ユニットを具え、該出力ユニットに該理学療法用エネルギーの強度と、即時エネルギー発生モードか、設定した時間に発生するモードかを表示する。
【図面の簡単な説明】
【００１７】
【図１】この考案による理学療法用エネルギー発生装置の外観を示した説明図である。
【図２】図１に開示する理学療法用エネルギー発生装置の本体の構造を示したブロック図である。
【図３】図１に開示する理学療法用エネルギー発生装置の使用態様を示した説明図である。
【図４】この考案における把持部の分解図である。
【図５】図４に開示する把持部の断面図である。
【図６】他の実施の形態による把持部の構造を示した説明図である。
【考案を実施するための形態】
【００１８】
この考案は、操作に便利で、十分な理学療法の効果の得られる理学療法用エネルギー発生装置を提供するものであって、制御ユニットと、第１導電手段と、第２導電手段と、該制御手段にカップリングし、かつ調整を行うコマンドを受信して該制御ユニットに伝送する入力ユニットと、該制御手段にカップリングし、かつ該制御ユニットによる該調整コマンドに基づいた制御によって理学療法用のエネルギーを発生し、該第１導電手段と該第２導電手段から出力させるエネルギー発生ユニットと、該エネルギー発生ユニットと、該第１導電手段との間に設けて出力する該理学療法用のエネルギーの強度を制限するエネルギー出力制限ユニットと、を具えてなる。係る理学療法用エネルギー発生装置の構造と特徴を詳述するために、具体的な実施例を挙げ、図面を参照にして以下に説明する。
【実施例】
【００１９】
図１から図６に、この考案による理学療法用エネルギー発生装置の実施の形態を開示する。理学療法用エネルギー発生装置１０は、図３に開示するように理学療法士である施術者３３が被治療者３２に対して理学療法を施す場合に適用する。
【００２０】
図１から図３に開示するように、理学療法用エネルギー発生装置１０は、制御ユニット５１と、入力ユニット５２と、エネルギー発生ユニット５３と、エネルギー出力制限ユニット５４と、及び出力ユニット５５とによって構成される本体１１と、第１導電手段１２と、少なくとも１以上の第２導電手段１３と、リモートコントローラ５６と、手持ち型マッサージ手段２０とを選択的に具えてなる。
【００２１】
本体１１は、さらに入力ユニット５２に含まれるコントロールパネル１１３と、出力ユニット５５に含まれる表示装置１１５と、第１導電手段１２に電気的に接続する第１挿入端１１１と、第２導電手段１３に電気的に接続する第２挿入端１１２とを含む。
【００２２】
第１導電手段１２は、銅とクロムとを含む金属繊維を編んでなる布状の導電パッドであって、第２導電手段１３は、絶縁ベース１３１と、銅か、又は導電性ゴムによって構成され絶縁ベース１３１上に設ける導電面１３２と、によってなる。手持ち型マッサージ手段２０は後述する。
【００２３】
入力ユニット５２は制御ユニット５１にカップリングして、施術者３３からのコマンドを制御ユニット５１に伝送する。
【００２４】
また、エネルギー発生ユニット５３も制御ユニット５１にカップリングして、制御ユニット５１の制御によって理学療法に用いるエネルギーを発生させる。発生したエネルギーは第１導電手段１２と第２導電手段１３から出力する。
【００２５】
エネルギー出力制限ユニット５４は、エネルギー発生ユニット５３と、第１導電手段１２との間に設けられ、出力するエネルギーの強度を制限する。よって、出力するエネルギーの強度が高すぎて被治療者３２の不快感を招いたり、甚だしくは危険が発生したりするような事態を防ぐことができる。
【００２６】
上述する構造の理学療法用エネルギー発生装置１０を使用する場合、施術者３３は、必要に応じてコントロールパネル１１３か、コントローラ５６を選択して発生するエネルギーの強度を調整するコマンドを入力し、エネルギーの強度を適宜に調整する。よって、理学療法の効果を増進させることができる。
【００２７】
前述する理学療法用エネルギーは、低電位、低周波数の交流電流であって、被治療者３２のつぼを刺激して電子鍼灸に類似した効果を得ることができる。
【００２８】
また、施術者３３は、コントロールパネル１１３か、コントローラ５６を選択して理学療法用エネルギー発生装置１０のエネルギー発生時間を設定することができる。即ち、制御ユニット５１を制御して、即時エネルギー発生モードか、設定した時間に発生するモードか調整することができる。出力するエネルギーの強度、エネルギー発生モードなどは、表示装置１１５に選択的に表示する。
【００２９】
図３に開示するように、理学療法用エネルギー発生装置１０は、被治療者の横臥に供する台を設置した場所に設ける。第１導電手段１２はマッサージベッド３１上において被治療者３２に接触するように設置し、かつ本体１１の第１挿入端１１１に接続する。複数の第２導電手段１３は、施術者１３が踏んで施術を行うことができるようにマッサージベッド３１の下方に分布し、かつ囲繞して設けるとともに、本体１１の第２挿入端１１２に接続する。よって、理学療法用エネルギーが第２導電手段１３から施術者３３の身体を介し、施術者３３の手から出力する。このため、施術者３３が第２導電手段１３を踏んで被治療者３２の身体のつぼを按摩すると、極めて好ましい理学療法効果が得られる。施術者３３が被治療者３２の他の部位に施術するために移動する場合は、他の第２導電手段１３に移動して、これを踏む。よって、施術者３３が如何なる位置に移動して施術しても、最も好ましい理学療法の効果が得られる。
【００３０】
施術者３３は手持ち型マッサージ手段２０を選択してもよく、又は被治療者３２が自身で手持ち型マッサージ手段２０を操作してマッサージする方式を選択してもよい。この場合、第２導電ユニット１３を用いる必要はなく、本体１１の第２挿入端１１２に手持ち型マッサージ手段２０を接続する。
【００３１】
図４、５に開示するように、手持ち型マッサージ手段２０は、把持部２１と、例えば銅板である導電板２２と、例えば湿らせたスポンジか、棉である軟質導電部２３と、カバーリング２４とを含んでなる。また、操作の際の利便性を得るために把持部２１には、本体１１から出力されるエネルギーの強弱を調整するための減衰スイッチ２１１と増強スイッチ２１２とを設ける。
【００３２】
また、把持部２１は把持する側の把持端２１３と、マッサージを行う側の作動端２１４とを具え、把持端２１３の外周面には環状リブ２１６を形成し、かつカバーリング２４の内周面には把持端２１３の環状リブ２１６に対応する環状溝２４１を形成する。よって、カバーリング２４を把持部２４に嵌挿した場合、環状リブ２１６が環状溝２４１に嵌着し、カバーリング２４の安定した嵌挿が得られる。但し、把持端２１３にカバーリング２４を緊密に嵌挿させる方式を選択してもよい。この場合は環状リブ２１６と環状溝２４１とを形成する必要がない。
【００３３】
把持部２１の作動端２１４の端面は溝状に形成して収納部２１５とし、収納部２１５に導電板２２を設け、本体１１から発生したエネルギーを第２挿入端１１２から導電板２２に伝える。
【００３４】
軟質導電部２３も把持部２１の収納部２１５に設け、さらにカバーリング２１を作動端２１４から嵌挿し、軟質導電部２３をして導電板２２に安定して接触させる。
【００３５】
また、湿らせたスポンジ、又は綿などによってなる軟質導電部２３をさらに安定して把持部２１に固定するためには、図４、５に開示する方式以外に、図６に開示する方式を選択してもよい。即ち、綿、又は不織布などによってなる布片２３１で粘質導電部２３を覆い、かつ布片２３１をカバーリング２４と把持部２１との間に挟む。布片２３１で覆われた粘質導電部２３は、把持部２１に力を入れて按摩しても、押し圧の力の過多によって粘質導電部２３が外れ落ちることがない。
【符号の説明】
【００３６】
１０               理学療法エネルギー発生装置
１１               本体
１１１            第１挿入端
１１２            第２挿入端
１１３            コントロールパネル
１１５       表示装置
１２               第１導電手段
１３               第２導電手段
１３１            絶縁ベース
１３２            導電面
２０               手持ち型マッサージ手段
２１               把持部
２１１            減衰スイッチ
２１２            増強スイッチ
２１３            把持端
２１４            作動端
２１５            収納部
２１６            環状リブ
２２               導電板
２３               軟質導電部
２３１            布片
２４               カバーリング
３１               マッサージベッド
３２               被治療者
３３               施術者
５１               制御ユニット
５２               入力ユニット
５３               エネルギー発生ユニット
５４               エネルギー出力制限ユニット
５５               出力ユニット
５６               リモートコントローラ
【図１】
0003196442.tif 000003
【図２】
0003196442.tif 000004
【図３】
0003196442.tif 000005
【図４】
0003196442.tif 000006
【図５】
0003196442.tif 000007
【図６】
0003196442.tif 000008
【手続補正書】
【提出日】平成27年1月14日(2015.1.14)
【手続補正１】
【補正対象書類名】実用新案登録請求の範囲
【補正対象項目名】請求項１
【補正方法】変更
【補正の内容】
【請求項１】
制御ユニットと、第１導電手段と、第２導電手段と、該制御ユニットにカップリングし、かつ調整を行うコマンドを受信して該制御ユニットに伝送する入力ユニットと、該制御ユニットにカップリングし、かつ該制御ユニットによる該調整コマンドに基づいた制御によって理学療法用のエネルギーを発生し、該第１導電手段と該第２導電手段から出力させるエネルギー発生ユニットと、該エネルギー発生ユニットと、該第１導電手段との間に設けて出力する該理学療法用のエネルギーの強度を制限するエネルギー出力制限ユニットと、を具えてなり、施術者が被治療者に対して理学療法を施すために適用する理学療法用エネルギー発生装置。
【手続補正２】
【補正対象書類名】実用新案登録請求の範囲
【補正対象項目名】請求項２
【補正方法】変更
【補正の内容】
【請求項２】
前記理学療法用エネルギー発生装置が、被治療者の横臥に供する台を設置した場所に設けられ、かつ該第２導電手段を複数具え、該第１導電手段が被治療者に接触するように設置し、かつ複数の該第２導電手段が、施術者が踏んで施術を行うことができるようにマッサージベッドの下方に分布し、かつ囲繞して設けることを特徴とする請求項１に記載の理学療法用エネルギー発生装置。
【手続補正３】
【補正対象書類名】実用新案登録請求の範囲
【補正対象項目名】請求項３
【補正方法】変更
【補正の内容】
【請求項３】
前記第１導電手段が銅とクロムの金属繊維を編んでなる布状の導電パッドであることを特徴とする請求項１に記載の理学療法用エネルギー発生装置。
【手続補正４】
【補正対象書類名】実用新案登録請求の範囲
【補正対象項目名】請求項４
【補正方法】変更
【補正の内容】
【請求項４】
前記第２導電手段が、絶縁ベースと、銅か、又は導電性ゴムによって構成され該絶縁ベース上に設ける導電面とによってなることを特徴とする請求項１に記載の理学療法用エネルギー発生装置。
【手続補正５】
【補正対象書類名】実用新案登録請求の範囲
【補正対象項目名】請求項６
【補正方法】変更
【補正の内容】
【請求項６】
前記入力ユニットがリモートコントローラを具え、該リモートコントローラが送信する該調整コマンドを受信することを特徴とする請求項１に記載の理学療法用エネルギー発生装置。
【手続補正６】
【補正対象書類名】実用新案登録請求の範囲
【補正対象項目名】請求項７
【補正方法】変更
【補正の内容】
【請求項７】
前記理学療法用エネルギー発生装置が、さらに手持ち型マッサージ手段を具え、且つ該手持ち型マッサージ手段が、一端を把持端とし、他端を作動端とし、該作動端に収納部を形成した把持部と、該収納部に設けられ、理学療法用のエネルギーを出力する導電板と、該導電板上に設けられる軟質導電部と、該把持部の該作動端に嵌挿して該軟質導電部を該導電板に接触させて固定するカバーリングとを具えてなることを特徴とする請求項１に記載の理学療法用エネルギー発生装置。
【手続補正７】
【補正対象書類名】明細書
【補正対象項目名】０００５
【補正方法】変更
【補正の内容】
【０００５】
そこで、本考案者は従来の理学療法に用いられる各種保健装置に見られる欠点に鑑み鋭意研究を重ねた結果、制御ユニットと、第１導電手段と、第２導電手段と、該制御ユニットにカップリングし、かつ調整を行うコマンドを受信して該制御ユニットに伝送する入力ユニットと、該制御ユニットにカップリングし、かつ該制御ユニットによる該調整コマンドに基づいた制御によって理学療法用のエネルギーを発生し、該第１導電手段と該第２導電手段から出力させるエネルギー発生ユニットと、該エネルギー発生ユニットと、該第１導電手段との間に設けて出力する該理学療法用のエネルギーの強度を制限するエネルギー出力制限ユニットと、を具えてなる理学療法用エネルギー発生装置によって課題を解決でできる点に着眼し、係る知見に基づいて本考案を完成させた。
【手続補正８】
【補正対象書類名】明細書
【補正対象項目名】０００６
【補正方法】変更
【補正の内容】
【０００６】
以下この考案について説明する。請求項１に記載する理学療法用エネルギー発生装置は、制御ユニットと、第１導電手段と、第２導電手段と、該制御ユニットにカップリングし、かつ調整を行うコマンドを受信して該制御ユニットに伝送する入力ユニットと、該制御ユニットにカップリングし、かつ該制御ユニットによる該調整コマンドに基づいた制御によって理学療法用のエネルギーを発生し、該第１導電手段と該第２導電手段から出力させるエネルギー発生ユニットと、該エネルギー発生ユニットと、該第１導電手段との間に設けて出力する該理学療法用のエネルギーの強度を制限するエネルギー出力制限ユニットと、を具えてなり、施術者が被治療者に対して理学療法を施すために適用する。
【手続補正９】
【補正対象書類名】明細書
【補正対象項目名】０００７
【補正方法】変更
【補正の内容】
【０００７】
請求項２に記載する理学療法用エネルギー発生装置は、請求項１における理学療法用エネルギー発生装置が、被治療者の横臥に供する台を設置した場所に設けられ、かつ該第２導電手段を複数具え、該第１導電手段が被治療者に接触するように設置し、かつ複数の該第２導電手段が、施術者が踏んで施術を行うことができるようにマッサージベッドの下方に分布し、かつ囲繞して設ける。
【手続補正１０】
【補正対象書類名】明細書
【補正対象項目名】０００８
【補正方法】変更
【補正の内容】
【０００８】
請求項３に記載する理学療法用エネルギー発生装置は、請求項１における第１導電手段が銅とクロムの金属繊維を編んでなる布状の導電パッドである。
【手続補正１１】
【補正対象書類名】明細書
【補正対象項目名】０００９
【補正方法】変更
【補正の内容】
【０００９】
請求項４に記載する理学療法用エネルギー発生装置は、請求項１における第２導電手段が、絶縁ベースと、銅か、又は導電性ゴムによって構成され該絶縁ベース上に設ける導電面とによってなる。
【手続補正１２】
【補正対象書類名】明細書
【補正対象項目名】００１１
【補正方法】変更
【補正の内容】
【００１１】
請求項６に記載する理学療法用エネルギー発生装置は、請求項１における入力ユニットがリモートコントローラを具え、該リモートコントローラが送信する該調整コマンドを受信する。
【手続補正１３】
【補正対象書類名】明細書
【補正対象項目名】００１２
【補正方法】変更
【補正の内容】
【００１２】
請求項７に記載する理学療法用エネルギー発生装置は、請求項１における理学療法用エネルギー発生装置が、さらに手持ち型マッサージ手段を具え、且つ該手持ち型マッサージ手段が、一端を把持端とし、他端を作動端とし、該作動端に収納部を形成した把持部と、該収納部に設けられ、理学療法用のエネルギーを出力する導電板と、該導電板上に設けられる軟質導電部と、該把持部の該作動端に嵌挿して該軟質導電部を該導電板に接触させて固定するカバーリングとを具えてなる。
【手続補正１４】
【補正対象書類名】明細書
【補正対象項目名】００１８
【補正方法】変更
【補正の内容】
【００１８】
この考案は、操作に便利で、十分な理学療法の効果の得られる理学療法用エネルギー発生装置を提供するものであって、制御ユニットと、第１導電手段と、第２導電手段と、該制御ユニットにカップリングし、かつ調整を行うコマンドを受信して該制御ユニットに伝送する入力ユニットと、該制御ユニットにカップリングし、かつ該制御ユニットによる該調整コマンドに基づいた制御によって理学療法用のエネルギーを発生し、該第１導電手段と該第２導電手段から出力させるエネルギー発生ユニットと、該エネルギー発生ユニットと、該第１導電手段との間に設けて出力する該理学療法用のエネルギーの強度を制限するエネルギー出力制限ユニットと、を具えてなる。係る理学療法用エネルギー発生装置の構造と特徴を詳述するために、具体的な実施例を挙げ、図面を参照にして以下に説明する。
【手続補正１５】
【補正対象書類名】明細書
【補正対象項目名】００３５
【補正方法】変更
【補正の内容】
【００３５】
また、湿らせたスポンジ、又は綿などによってなる軟質導電部２３をさらに安定して把持部２１に固定するためには、図４、５に開示する方式以外に、図６に開示する方式を選択してもよい。即ち、綿、又は不織布などによってなる布片２３１で粘質導電部２３を覆い、かつ布片２３１をカバーリング２４と把持部２１との間に挟む。布片２３１で覆われた軟質導電部２３は、把持部２１に力を入れて按摩しても、押し圧の力の過多によって軟質導電部２３が外れ落ちることがない。